(57)【特許請求の範囲】
【請求項１】
２以上のインターホンと、１以上のドアホン子器とを組み合わせて構成されたインターホン通話システムであって、
上記２以上のインターホンは、各々が、複数の個別呼出スイッチと、この個別呼出スイッチに対応して異なる呼出音を鳴動させる呼出音発生手段とを備え、上記ドアホン子器からの呼出に対しては、来訪者呼出音を一斉に鳴動させる一方、他のいずれかのインターホンからの個別呼出スイッチによる呼出に対しては、その個別呼出スイッチに対応した呼出音を一斉に出力する構成としたインターホン通話システム。
【請求項２】
請求項１において、
上記２以上のインターホンの各々は、拡声型スピーカを設け、ハンドセットを有しないハンズフリー型として構成されていることを特徴とするインターホン通話システム。
【請求項３】
請求項１または２において、
上記２以上のインターホンの各々は、テレビモニタをさらに備え、他のインターホンから、個別呼出信号を受けたときには、その個別呼出信号に対応させた呼出音を出力するとともに、テレビモニタには、個別呼出信号に対応させて予め準備された相手方を表示する文字や絵を表示する構成としているインターホン通話システム。
【請求項４】
請求項３において、
上記個別呼出スイッチが、テレビモニタの表示画面に設けられているインターホン通話システム。
【発明の詳細な説明】
【０００１】
【発明の属する技術分野】
本発明は、２以上のインターホンと１以上のドアホン子器とを組み合わせて構成されたインターホン通話システムの改良に関する。
【０００２】
【従来の技術】
従来、図５に示すような複数の個別呼び出し釦を設けたインターホン、テレビインターホンはあった。この種インターホンでは、複数の個別呼び出し釦を設けた親機Ａ、副親機Ａ１、Ａ２…が相互にパラレル接続されていて、例えば親機Ａ側の個別呼び出し釦１、２、３…の中から任意の番号１番釦を押して指定すると、その指定された１番釦に対応する副親機Ａ１だけが鳴動されるものであった。
【０００３】
また、図示しないが、呼び出し釦を操作する操作機側以外の他の全機を一斉に呼び出すための一斉呼び出し釦を設けたものもあった。
かかるインターホン等では、例えば、父親に会いに訪れた来訪者が玄関外のドアホン子器を押した場合を想定すると、ドアホン子器とシリアル接続された室内の親機Ａ側で母親が仮に応答した場合、来訪者の目的人物が父親であることを知って、他の場所に在宅する父親に来訪者が来たことを知らせようとすれば、父親の居る部屋を予想し、その部屋に設置されている副親機Ａの呼び出し釦１を指定して押すか又は他の副親機Ａ１、Ａ２…全てを一斉に鳴動させて合図を送る。そして、その合図に気付いて受話した者が父親であれば良いが、それ以外の者であれば更に近くを探して父親に来訪者が来たことを知らせ、その時点で初めて父親は自分が呼ばれていることに気付き、近くの副親機で応答するものであった。
【０００４】
【発明が解決しようとする課題】
しかし、このようなインターホン、テレビインターホンは、操作側で任意に指定した呼び出し釦に対して、その指定された他の副親機だけに鳴動や表示を促すものであったため、呼び出したい特定の人物に対して呼び出していることを直接知らせることはできなかった。
殊に近年の二世帯住戸や３階建て住宅においては、呼び出したい人物が別棟や別階の個室に在宅する場合も多いので、スムーズに特定の人物を呼び出すことのできるインターホン、テレビインターホンなどが要望されていた。
【０００５】
【課題を解決するための手段】
本発明は、以上のような課題を解決することを目的として提案されたものである。
請求項１に記載のインターホン通話システムは、２以上のインターホンと、１以上のドアホン子器とを組み合わせて構成されたインターホン通話システムであって、上記２以上のインターホンは、各々が、複数の個別呼出スイッチと、この個別呼出スイッチに対応して異なる呼出音を鳴動させる呼出音発生手段とを備え、ドアホン子器からの呼出に対しては、来訪者呼出音を一斉に鳴動させる一方、他のいずれかのインターホンからの個別呼出スイッチによる呼出に対しては、その個別呼出スイッチに対応した呼出音を一斉に出力する構成としている。
【０００６】
ここでは、ドアホン子器と、少なくとも２以上のインターホンを組み合わせてインターホン通話システムを構成しており、インターホンでは、ハンドセット型インターホンの個別呼出スイッチを操作すれば、その個別呼出スイッチに対応した呼出音を出力できるようになっている。また、インターホンでは、子器からの来訪者呼出と、他のインターホンからの個別呼出音が出力される。なお、インターホンからドアホン子器の呼び出しはシステム上できない。
今日では、２世帯住戸用などとして、２以上のドアホン子器を、２グループ以上のインターホンに接続して、１つのドアホン子器から２以上のグループのインターホンを選択的に呼出したり、１つのグループから他のグループのインターホンを呼出できるようにしたシステム（いずれも予めインターホン側で設定しておく）、も開発されている。
【０００７】
請求項２は、請求項１において、２以上のインターホンの各々が拡声型スピーカを設け、ハンドセットを有しないハンズフリー型として構成されていることを特徴としている。
ここでは、ハンドセットがないので、ハンズフリー通話が可能となる。
【０００８】
請求項３は、請求項１または２において、２以上のインターホンの各々は、テレビモニタをさらに備え、他のインターホンから、個別呼出信号を受けたときには、その個別呼出信号に対応させた呼出音を出力するとともに、テレビモニタには、個別呼出信号に対応させて予め準備された相手方を表示する文字や絵を表示する構成としていることを特徴としている。
ここでは、インターホンはモニタテレビ付きインターホンで構成され、前記テレビモニタにはＣＲＴ、ＬＣＤが採用できる。また、カラーでも白黒でもよい。
インターホンのＣＰＵは、個別呼出信号が判別できなければならないが、ＣＰＵは個別呼出信号を判別すれば、それに対応して準備された呼出音を出力させるとともに、文字や、絵をモニタ画面に表示する。
【０００９】
請求項４は、請求項３において、上記個別呼出スイッチが、テレビモニタの表示画面に設けられていることを特徴としている。
ここでは、モニタ画面にタッチパネルを仕込んでおき、テレビインターホンの省スペース化が図れ、スマートな外観にしている。
【００１０】
【発明の実施の形態】
以下、本発明に係るインターホン、テレビインターホン、及びインターホン通話システムについて説明する。
【００１１】
〔第１実施例〕
図１は、本発明に係るインターホンの一実施例を示す正面図である。図中の符号１は、複数の個別呼出スイッチ２と、この個別呼出スイッチ２に対応して、異なる呼出音を鳴動させる呼出音発生手段３とを備えたインターホンである。
前記複数の個別呼出スイッチ２には、それぞれ異なる番号で表示することも考えられるが、図示の如く、個別スイッチ２に対応する特定の人物名を表示しておけば各個別呼出スイッチ２を操作する際に誤操作することがなく望ましい。
また、各々の個別呼出スイッチ２には、当該スイッチ２の操作状態又は受信状態を示す発光部４を設けることも可能で、どの個別呼出スイッチ２が呼び出し又は受信されているのかを容易に認識できる。
呼出音発生手段３は、各々の個別呼出スイッチ２に対応した個別の呼び出し音を発生させるものであれば採用され、例えば、ブザー音、電子音、鐘鳴音などの単一音を、父は１回、母は２回…というように設定しておくか、予め録音された個別応答メッセージ「お父さん！」などを各々の個別呼出スイッチ２に連動させておくことで、個別の呼び出し音を簡易に設定することができる。
なお、前記呼出音発生手段３に拡声型スピーカを備えることでハンズフリー型のインターホンには好ましいものとなる。
【００１２】
〔第２実施例〕
図２は、本発明に係るテレビインターホンの一実施例を示す正面図である。図中の符号５は、テレビモニタであり、このテレビモニタ５はＣＲＴ、ＬＣＤが採用されている。また、テレビモニタ５の画面はカラーでも白黒でも構わない。
また、テレビモニタ５の画面にタッチパネル（図示略）を仕込んでおくことも可能であり、この場合には上記複数の個別呼出スイッチ２がテレビモニタ５の画面上に配置されるので、テレビインターホン自体が小型化されて省スペース化を図れ、スマートな外観にすることができる。
なお、前記呼出音発生手段３に拡声型スピーカを備えることでハンズフリー型のインターホンには好ましいものとなる。
【００１３】
上記の如く構成された、インターホン、テレビインターホンは以下の如く作用するが、その具体的な内部作用を図３のブロック図を用いて説明する。
図中央の破線で囲まれた部分が、本発明に係るインターホン、テレビインターホンの親機Ａ内部システムを代表例として表したものである。
【００１４】
まず、玄関外のカメラ付ドアホン子器（又はドアホン子器）の呼出スイッチを来訪者が押すと、これと接続された親機Ａ及び親機Ａに接続される副親機Ａ１、Ａ２…にその情報が一斉に伝達され、画像情報、音声情報に信号多重分離される。
例えば、親機Ａが応答した場合、その分離された画像情報は、ＦＭ映像復調されて液晶パネルなどにオンスクリーンされる。一方、分離された音声情報は、スピーカーから鳴動され、これを受けた親機Ａ側の応答者がマイクで来訪者と通話することになる。
次いで、内線呼出しを行う場合、複数の個別呼出スイッチ２の中から呼び出したい人物のスイッチ２を押すと、ＣＰＵで選ばれたスイッチ２を判別指定し、制御、信号多重化を介し、この判別指定されたスイッチの情報を他の副親機Ａ１、Ａ２…等に対して一斉に伝達する。なお、内線通話以外のドアホン子器に対しての伝達はできない。
この指定されたスイッチの情報を受けた他の副親機Ａ１、Ａ２…側では、指定されるスイッチ情報の各々に個別の音、画像を、例えば、父親の場合にはブー音、画像として「お父さん」、また、母親の場合はプップ音、画像として「お母さん」等として予め記憶させておき、前記指定されたスイッチの情報をＣＰＵが判別し、この情報に対しての個別音、個別画像を、前記呼出音発生手段３であるスピーカやテレビモニタ５で鳴動、表示される。
そして、この個別音や個別表示によって特定された人物が、呼び出されていることに気付いて近くの副親機Ａ１、Ａ２…を採り、個別呼出スイッチ２を操作した親機Ａとスムーズに直接通話できる。
なお、図例では、親機Ａで個別呼出スイッチ２を操作した場合を説明したが、任意の副親機Ａ１、Ａ２…が個別呼出スイッチ２を操作した場合であっても同様に機能される。
【００１５】
〔第３実施例〕
上記したいずれかのインターホン、テレビインターホンを少なくとも２以上と、１以上のドアホン子器又はカメラ付ドアホン子器とを任意に組み合わせることによって、
ドアホン子器等からの呼出に対しては、インターホン側では来訪者呼出音を一斉に鳴動させるとともに、いずれかのインターホン（親機又は副親機）からの個別呼出スイッチによる内線呼出がなされたときには、それ以外の他のインターホン（副親機又は親機）では、インターホンの場合にはその個別呼出スイッチに対応した呼出音を、テレビインターホンの場合には呼出音とともに個別呼出の対象となる相手方を文字や絵で一斉に出力するインターホン通話システム又はテレビインターホン通話システムが構成される。
【００１６】
図４はその一例であるテレビインターホン通話システムを例示したものである。
ここでは、２台のカメラ付ドアホン子器と1台の親機Ａ及び５台の副親機Ａ１〜Ａ５を例示している。
なお、図中の番号２は、２線であることを意味するものである。
このようなシステムは、今日では、２世帯住戸用などとして、２以上のカメラドアホン子器やドアホン子器を、２グループ以上のテレビインターホンやインターホンに接続して、１つのカメラ付きドアホン子器やドアホン子器から２以上のグループのテレビインターホンやインターホンを選択的に呼出したり、１つのグループから他のグループのテレビインターホンやインターホンを呼出できるようにしたシステムを想定している。
【００１７】
例えば、親機Ａ、副親機Ａ１、Ａ２を親所帯の住居に設置し、副親機Ａ３〜Ａ６を子世帯の住居に設置してパラレル接続し、親世帯の親機Ａにシリアル接続したカメラ付ドアホン子器を各世帯の玄関外に設置することが考えられる。
そして、一方の子器を来訪者が操作すると、一斉に親機Ａ、副親機Ａ１〜Ａ５が鳴動される。そして、いずれかの親機で応答した者が、前述の如く内線呼出を行い、その個別呼出に対して個別音、個別画像が他の親機Ａ、副親機Ａ１〜Ａ５に鳴動及び画像表示され、これによって呼び出された人物がスムーズ且つ確実に近くの親機Ａ等で応答することができるのである。
【００１８】
【発明の効果】
本発明によれば、個別呼出スイッチに対応して、個別の音、又は個別の音と個別の画像・文字等を備えているので、呼び出したい特定の人物に対して呼び出していることを直接、正確に知らせることができる。
したがって、呼び出された人物が近くのインターホン等で素早く応答することができる。
また、視覚障害、聴覚障害がある人に対しても、音や画像で呼び出されていることが直ぐに理解されるという効果もある。
殊に呼び出したい人物が別棟や別階の個室に在宅する場合の多い近年の二世帯住戸や３階建て住宅においては、本発明のインターホン、テレビインターホン、及びインターホン通話システムは期待の高いものである。
【図面の簡単な説明】
【図１】本発明に係るインターホンの一実施例を示す正面図
【図２】本発明に係るテレビインターホンの一実施例を示す正面図
【図３】本発明に係るテレビインターホン（インターホン）のブロック図
【図４】本発明に係るインターホン通話システムの一実施例を示す正面図
【図５】従来のインターホンを示す正面図
【符号の説明】
１  インターホン
２  個別呼出スイッチ
３  呼出音発生手段
４  発光部
５  テレビモニタ
Ａ  親機
Ａ１、Ａ２、…  副親機
【図１】
0003694722.tif 000002
【図２】
0003694722.tif 000003
【図３】
0003694722.tif 000004
【図４】
0003694722.tif 000005
【図５】
0003694722.tif 000006